(57)【要約】【課題】各画素において、赤色、緑色及び青色の再現性の低下を抑制しつつ、赤色有機発光層、緑色有機発光層及び青色有機発光層を用いて、彩度が向上したマゼンタ色又はシアン色を表現できる有機ＥＬ表示パネルを提供する。【解決手段】画素Ｐの各々が、赤色有機発光層６Ｒと赤色カラーフィルタ１４Ｒとが配置された第１副画素ＳＰＲと、緑色有機発光層６Ｇと緑色カラーフィルタ１４Ｇとが配置された第２副画素ＳＰＧと、第１青色有機発光層６Ｂと青色カラーフィルタ１４Ｂとが配置された第３副画素ＳＰＢと、赤色有機発光層６Ｒと電荷発生層８と第２青色有機発光層９とをこの順に配置した第４副画素ＳＰＭと、を備える、有機ＥＬ表示パネル１００。【選択図】図２
2016004761.tif 000002
【特許請求の範囲】
【請求項１】
基板上に複数の画素が配列され、前記複数の画素の各々が複数の副画素を備え、前記複数の副画素の各々に、第１電極、機能層及び第２電極がこの順に配置された構成である有機ＥＬ表示パネルであって、
前記複数の画素の各々が、
機能層として赤色有機発光層を含み、前記赤色有機発光層に対して光の取り出し側に赤色カラーフィルタが配置された第１副画素と、
機能層として緑色有機発光層を含み、前記緑色有機発光層に対して光の取り出し側に緑色カラーフィルタが配置された第２副画素と、
機能層として青色有機発光層を含み、前記青色有機発光層に対して光の取り出し側に青色カラーフィルタが配置された第３副画素と、
機能層として、赤色有機発光層と緑色有機発光層とのうちの一方、電荷発生層及び青色有機発光層をこの順に含む第４副画素と、
を備える、
有機ＥＬ表示パネル。
【請求項２】
前記複数の画素の各々が、さらに、
機能層として、赤色有機発光層と緑色有機発光層とのうちの前記第４副画素が含まない一方、電荷発生層及び青色有機発光層をこの順に含む第５副画素と、
機能層として、青色有機発光層、電荷発生層及び青色有機発光層をこの順に含む第６副画素と、
を備え、
前記複数の副画素が、基板上に行列状に配列され、
前記複数の画素の各々において、前記第１副画素、前記第２副画素及び前記第３副画素が並ぶ行と、前記第４副画素、前記第５副画素及び前記第６副画素が並ぶ行とが、列方向に並ぶ、
請求項１に記載の有機ＥＬ表示パネル。
【請求項３】
前記電荷発生層及び前記電荷発生層上にある前記青色有機発光層が、前記第４副画素、前記第５副画素及び前記第６副画素が並ぶ行において連続する、
請求項２に記載の有機ＥＬ表示パネル。
【請求項４】
前記第１副画素、前記第２副画素、前記第３副画素の各機能層が、前記赤色有機発光層、前記緑色有機発光層及び前記青色有機発光層上に、さらに、電荷発生層及び青色有機発光層をこの順に備え、
前記電荷発生層及び前記電荷発生層上の前記青色有機発光層が、前記複数の副画素のすべてに渡って連続する、
請求項３に記載の有機ＥＬ表示パネル。
【請求項５】
前記赤色有機発光層、前記緑色有機発光層及び前記電荷発生層下の前記青色有機発光層が、湿式プロセスで形成され、
前記電荷発生層及び前記電荷発生層上の前記青色有機発光層が、乾式プロセスで形成された、
請求項３又は請求項４に記載の有機ＥＬ表示パネル。
【請求項６】
前記第６副画素において、前記青色有機発光層に対して光の取り出し側に前記青色カラーフィルタが配置された、
請求項２から請求項５のいずれかに記載の有機ＥＬ表示パネル。
【請求項７】
前記第４副画素及び前記第５副画素のうち、前記赤色有機発光層を含む副画素において、前記赤色有機発光層及び前記青色有機発光層に対して光の取り出し側にマゼンタ色カラーフィルタが配置され、
前記第４副画素及び前記第５副画素のうち、前記緑色有機発光層を含む副画素において、前記緑色有機発光層及び前記青色有機発光層に対して光の取り出し側にシアン色カラーフィルタが配置された、
請求項２から請求項６のいずれかに記載の有機ＥＬ表示パネル。
【請求項８】
請求項２から請求項７のいずれかに記載の有機ＥＬ表示パネルと、
前記有機ＥＬ表示パネルの前記複数の副画素の各々に配置された前記第１電極又は前記第２電極と電気的に接続され、前記複数の副画素の各々に電力を供給する駆動制御部と、
を備え、
前記駆動制御部からの電力の供給により、
前記第１副画素、前記第２副画素、前記第３副画素が、当該副画素に配置された前記赤色カラーフィルタ、前記緑色カラーフィルタ、前記青色カラーフィルタによって、当該副画素に配置された前記赤色有機発光層、前記緑色有機発光層及び前記青色有機発光層の発する光よりも色純度が向上した赤色、緑色、青色にそれぞれ発光し、
前記第４副画素及び前記第５副画素のうちの一方が、当該副画素にそれぞれ配置された前記赤色有機発光層及び前記青色有機発光層の発する色を混合したマゼンタ色に発光し、
前記第４副画素及び前記第５副画素のうちの他方が、当該副画素にそれぞれ配置された前記緑色有機発光層及び前記青色有機発光層の発する光を混合したシアン色に発光し、
前記第６副画素が、青色に発光する、
有機ＥＬ表示装置。
【発明の詳細な説明】
【技術分野】
【０００１】
本発明は、有機材料の電界発光現象を利用した有機ＥＬ表示パネル及び当該有機ＥＬ表示パネルを用いた有機ＥＬ表示装置に関し、特に有機ＥＬ表示パネルの表現可能な色域を拡大する技術に関する。
【背景技術】
【０００２】
テレビ、パーソナルコンピュータ、携帯端末、電子看板などの表示装置に用いられる表示パネルでは、通常、各画素が、赤色（Ｒ）、緑色（Ｇ）及び青色（Ｂ）にそれぞれ発光する副画素（サブピクセル）を備え、有色の画像を表示する。近年、有機材料の電界発光（ＥＬ：Ｅｌｅｃｔｒｏｌｕｍｉｎｅｓｃｅｎｃｅ）現象による発光を副画素に利用した有機ＥＬ表示パネルが実用化されている。有機ＥＬ表示パネルにおいては、各副画素に、一対の電極と、当該電極間に挟まれた有機発光層などの機能層とから構成される有機ＥＬ素子が配置される。また、発光効率向上の観点から、機能層として有機発光層、電荷発生層、有機発光層をこの順に含んだマルチフォトンエミッション（ＭＰＥ）構造の有機ＥＬ素子が開発されている（例えば、特許文献１、２参照）。
【０００３】
有機ＥＬ表示パネルにおける有色画像の表示方式は、色変換方式、カラーフィルタ方式、３色塗り分け方式などがあるが、現在では発光効率の高い３色塗り分け方式が用いられることが多い。３色塗り分け方式では、赤色、緑色、青色の副画素において、それぞれ赤色に発光する赤色有機発光層、緑色に発光する緑色有機発光層、青色に発光する青色有機発光層を機能層として含む有機ＥＬ素子を配置する。
【０００４】
これら有機ＥＬ素子の発光スペクトルは、ＬＥＤの発光スペクトルとは異なり、比較的広い範囲の波長帯に渡って光強度を有しており、色の成分を広く含んでいる。表示パネルが表示する画像は、規格によって定められたＲＧＢの各色を基準に、各画素におけるＲＧＢの階調によって表現されているが、有機ＥＬ素子の発光色は、規格によって定められたＲＧＢの各色とは一致しない場合が多い。
【０００５】
したがって、有機ＥＬ素子の発光をそのまま各副画素の発光色とすると、各画素における色の再現性が低下し、複雑な補正処理が必要となる場合や、画像の色を正確に再現できなくなる場合がある。そこで、通常、有機ＥＬ表示パネルでは、副画素の発光色を規格に定められたＲＧＢに近づける（以下、「色純度を向上させる」という。）ために、副画素にカラーフィルタを配置する（例えば、特許文献３参照）。これにより、有機ＥＬ表示パネルの各画素における色の再現性の低下を抑制することができる。
【先行技術文献】
【特許文献】
【０００６】
【特許文献１】特開２００３−２７２８６０号公報
【特許文献２】特開２０１３−７３７５９号公報
【特許文献３】特開２０１３−２２５１３２号公報
【発明の概要】
【発明が解決しようとする課題】
【０００７】
図１３は、ＮＴＳＣ、ＡｄｏｂｅＲＧＢ、ｓＲＧＢの各規格の色域を示す色度図である。当該色度図では、ＣＩＥ（国際照明委員会）が１９３１年に定めたＸＹＺ表色系（２°視野）に基づいたｘｙ平面座標によって色度（色相及び彩度）を表現している。このうち、略半楕円形は、人間が知覚できる色域（色度の範囲）を示している。また、略半楕円形の曲線部分は単一波長光の色度を示し（スペクトル軌跡）、当該曲線上の色は最も彩度（色純度）の高い色となる。さらに、各三角形は、各規格（ＮＴＳＣ、ＡｄｏｂｅＲＧＢ、ｓＲＧＢ）が定めるＲＧＢの色度の組み合わせによって表現可能な色域を示している。
【０００８】
図１３に示すように、各規格の表現可能な色域は、人間が知覚できる色域をすべてカバーしているわけではない。特に、ＧとＢとを繋いだ直線の外側（シアン色側）及びＲとＢとを繋いだ直線の外側（マゼンタ色側）において表現できない色域が広く存在する。したがって、カラーフィルタにより副画素のＲＧＢの色純度を向上させたとしても、各画素において、鮮やかなマゼンタ色及びシアン色を表現できない。
【０００９】
これに対し、マゼンタ色及びシアン色に発光する有機発光層を含む有機ＥＬ素子を副画素に配置することが考えられる。しかし、これまでの有機ＥＬ素子の研究・開発は赤色、緑色、青色の有機発光層が中心であり、現状では実用性の高いマゼンタ色有機発光層及びシアン色有機発光層は得られていない。
そこで、本発明の目的は、各画素において、色の再現性の低下を抑制しつつ、赤色有機発光層、緑色有機発光層及び青色有機発光層を用いて、彩度が向上したマゼンタ色又はシアン色を表現できる有機ＥＬ表示パネル及び有機ＥＬ表示装置を提供することにある。
【課題を解決するための手段】
【００１０】
本発明の一態様に係る有機ＥＬ表示パネルは、基板上に複数の画素が配列され、複数の画素の各々が複数の副画素を備え、複数の副画素の各々に、第１電極、機能層及び第２電極がこの順に配置された構成である。また、当該有機ＥＬ表示パネルでは、複数の画素の各々が、機能層として赤色有機発光層を含み、当該赤色有機発光層に対して光の取り出し側に赤色カラーフィルタが配置された第１副画素と、機能層として緑色有機発光層を含み、当該緑色有機発光層に対して光の取り出し側に緑色カラーフィルタが配置された第２副画素と、機能層として青色有機発光層を含み、当該青色有機発光層に対して光の取り出し側に青色カラーフィルタが配置された第３副画素と、機能層として、赤色有機発光層と緑色有機発光層とのうちの一方、電荷発生層及び青色有機発光層をこの順に含む第４副画素と、を備える。
【発明の効果】
【００１１】
上記態様に係る有機ＥＬ表示パネルの各画素は、カラーフィルタの配置により色純度が向上した赤色、緑色、青色にそれぞれ発光可能な第１副画素、第２副画素、第３副画素を備える。また、当該有機ＥＬ表示パネルの各画素は、赤色有機発光層と緑色有機発光層との一方、電荷発生層及び青色有機発光層の組み合わせにより、彩度が向上したマゼンタ色又はシアン色に発光可能な第４副画素を備える。
【００１２】
したがって、当該有機ＥＬ表示パネルでは、各画素において、色の再現性の低下を抑制しつつ、赤色有機発光層、緑色有機発光層及び青色有機発光層を用いて、彩度が向上したマゼンタ色又はシアン色を表現できる。
【図面の簡単な説明】
【００１３】
【図１】有機ＥＬ表示装置１０００の全体構成を示すブロック図である。
【図２】有機ＥＬ表示パネル１００の画像表示面の一部を拡大した模式平面図である。
【図３】図２のＸ１−Ｘ１線に沿った模式断面図である。
【図４】図２のＸ２−Ｘ２線に沿った模式断面図である。
【図５】有機ＥＬ表示パネル１００と比較例とにおける各画素の色域を示す色度図である。
【図６】有機ＥＬ表示パネル２００のＲＧＢ領域を示す模式断面図である。
【図７】有機ＥＬ表示パネル３００のＭＣＢ２領域を示す模式断面図である。
【図８】有機ＥＬ表示パネル４００のＭＣＢ２領域を示す模式断面図である。
【図９】有機ＥＬ表示パネル４００と比較例とにおける各画素の色域を示す色度図である。
【図１０】有機ＥＬ表示パネル５００の画像表示面の一部を拡大した模式平面図である。
【図１１】図１０のＸ３−Ｘ３線に沿った模式断面図である。
【図１２】有機ＥＬ表示パネル６００のＲＧＢ領域を示す模式断面図である。
【図１３】各規格の色域を示す色度図である。
【発明を実施するための形態】
【００１４】
＜本発明の一態様の概要＞
本発明の一態様に係る有機ＥＬ表示パネルは、基板上に複数の画素が配列され、複数の画素の各々が複数の副画素を備え、複数の副画素の各々に、第１電極、機能層及び第２電極がこの順に配置された構成である。また、当該有機ＥＬ表示パネルでは、複数の画素の各々が、機能層として赤色有機発光層を含み、当該赤色有機発光層に対して光の取り出し側に赤色カラーフィルタが配置された第１副画素と、機能層として緑色有機発光層を含み、当該緑色有機発光層に対して光の取り出し側に緑色カラーフィルタが配置された第２副画素と、機能層として青色有機発光層を含み、当該青色有機発光層に対して光の取り出し側に青色カラーフィルタが配置された第３副画素と、機能層として、赤色有機発光層と緑色有機発光層とのうちの一方、電荷発生層及び青色有機発光層をこの順に含む第４副画素と、を備える。
【００１５】
上記態様に係る有機ＥＬ表示パネルの各画素は、カラーフィルタの配置により色純度が向上した赤色、緑色、青色にそれぞれ発光可能な第１副画素、第２副画素、第３副画素を備える。また、当該有機ＥＬ表示パネルの各画素は、赤色有機発光層と緑色有機発光層との一方、電荷発生層及び青色有機発光層の組み合わせにより、彩度が向上したマゼンタ色又はシアン色に発光可能な第４副画素を備える。
【００１６】
したがって、当該有機ＥＬ表示パネルでは、各画素において、色の再現性の低下を抑制しつつ、赤色有機発光層、緑色有機発光層及び青色有機発光層を用いて、彩度が向上したマゼンタ色又はシアン色を表現できる。
また、本発明の一態様に係る有機ＥＬ表示パネルは、上記態様において、複数の画素の各々が、さらに、機能層として、赤色有機発光層と緑色有機発光層とのうちの第４副画素が含まない一方、電荷発生層及び青色有機発光層をこの順に含む第５副画素と、機能層として、青色有機発光層、電荷発生層及び青色有機発光層をこの順に含む第６副画素と、を備え、複数の副画素が、基板上に行列状に配列され、複数の画素の各々において、第１副画素、第２副画素及び第３副画素が並ぶ行と、第４副画素、第５副画素及び第６副画素が並ぶ行とが、列方向に並ぶ構成であってもよい。
【００１７】
上記態様に係る有機ＥＬ表示パネルの各画素は、さらにマゼンタ色とシアン色とのうちの第４副画素の発光色ではない方に発光可能な第５副画素を備え、彩度が向上したマゼンタ色及びシアン色の両方を表現できる。また、上記態様に係る有機ＥＬ表示パネルの各画素は、第３副画素とは別に青色に発光可能なＭＰＥ構造の有機ＥＬ素子を配置した第６副画素を備え、青色の副画素の発光寿命が向上する。また、ＭＰＥ構造の有機ＥＬ素子を配置した第４副画素、第５副画素及び第６副画素が一行に並び、製造上の効率がよい。
【００１８】
また、本発明の一態様に係る有機ＥＬ表示パネルは、上記態様において、電荷発生層及び電荷発生層上にある青色有機発光層が、第４副画素、第５副画素及び第６副画素が並ぶ行において連続する構成であってもよい。
また、本発明の一態様に係る有機ＥＬ表示パネルは、上記態様において、第１副画素、第２副画素、第３副画素の各機能層が、赤色有機発光層、緑色有機発光層及び青色有機発光層上に、さらに、電荷発生層及び青色有機発光層をこの順に備え、電荷発生層及び電荷発生層上の青色有機発光層が、複数の副画素のすべてに渡って連続する構成であってもよい。
【００１９】
上記態様に係る有機ＥＬ表示パネルは、電荷発生層及び電荷発生層上にある青色有機発光層が簡易な形状となり、製造効率が向上する。
また、本発明の一態様に係る有機ＥＬ表示パネルは、上記態様において、赤色有機発光層、緑色有機発光層及び電荷発生層下の青色有機発光層が、湿式プロセスで形成され、電荷発生層及び電荷発生層上の青色有機発光層が、乾式プロセスで形成された構成であってもよい。上記態様に係る有機ＥＬ表示パネルは、副画素ごとに塗り分けが必要な層を湿式プロセスで、簡易な形状の層を乾式プロセスでそれぞれ形成することで、製造効率が向上する。
【００２０】
また、本発明の一態様に係る有機ＥＬ表示パネルは、上記態様において、第６副画素において、青色有機発光層に対して光の取り出し側に青色カラーフィルタが配置された構成であってもよい。上記態様に係る有機ＥＬ表示パネルは、第６副画素の発光色の色純度が向上し、色の再現性がさらに向上する。
また、本発明の一態様に係る有機ＥＬ表示パネルは、上記態様に加え、第４副画素及び第５副画素のうち、赤色有機発光層を含む副画素において、赤色有機発光層及び青色有機発光層に対して光の取り出し側にマゼンタ色カラーフィルタが配置され、第４副画素及び第５副画素のうち、緑色有機発光層を含む副画素において、緑色有機発光層及び青色有機発光層に対して光の取り出し側にシアン色カラーフィルタが配置された構成であってもよい。
【００２１】
上記態様に係る有機ＥＬ表示パネルの各画素では、さらに彩度が向上したマゼンタ色及びシアン色を表現することができる。
また、本発明の一態様に係る有機ＥＬ表示装置は、上記態様の有機ＥＬ表示パネルと、当該有機ＥＬ表示パネルの複数の副画素の各々に配置された第１電極又は第２電極と電気的に接続され、複数の副画素の各々に電力を供給する駆動制御部と、を備える。また、当該有機ＥＬ表示装置では、駆動制御部からの電力の供給により、第１副画素、第２副画素、第３副画素が、当該副画素に配置された赤色カラーフィルタ、緑色カラーフィルタ、青色カラーフィルタによって、当該副画素に配置された赤色有機発光層、緑色有機発光層及び青色有機発光層の発する光よりも色純度が向上した赤色、緑色、青色にそれぞれ発光する。さらに、当該有機ＥＬ表示層では、第４副画素及び第５副画素のうちの一方が、当該副画素にそれぞれ配置された赤色有機発光層及び青色有機発光層の発する色を混合したマゼンタ色に発光し、第４副画素及び第５副画素のうちの他方が、当該副画素にそれぞれ配置された緑色有機発光層及び青色有機発光層の発する光を混合したシアン色に発光し、第６副画素が、青色に発光する。
【００２２】
上記態様に係る有機ＥＬ表示装置では、有機ＥＬ表示パネルの各画素において、色の再現性の低下を抑制しつつ、赤色有機発光層、緑色有機発光層及び青色有機発光層を用いて、彩度が向上したマゼンタ色又はシアン色を表現できる。
なお、本願における赤色、緑色、青色、マゼンタ色、シアン色など光の色を特定する表現は、ＣＩＥに規定された厳密なものではなく、光の波長領域をおおよその範囲で特定するものに過ぎない。特に、マゼンタ色、シアン色は、それぞれ赤色と青色との中間の色、緑色と青色との中間の色を指すものである。
【００２３】
＜実施の形態＞
以下では、本発明の一態様に係る有機ＥＬ表示パネル１００を用いた有機ＥＬ表示装置１０００について、図面を参照しながら説明する。
１．有機ＥＬ表示装置１０００の全体構成
図１は、有機ＥＬ表示装置１０００の全体構成を示すブロック図である。有機ＥＬ表示装置１０００は、テレビ、パーソナルコンピュータ、携帯端末、電子看板などに用いられる表示装置であって、有機ＥＬ表示パネル１００と、これに電気的に接続された駆動制御部１７とを備える。
【００２４】
有機ＥＬ表示パネル１００（以下、「パネル１００」という。）は、長方形状の画像表示面（不図示）を有する表示パネルである。パネル１００では、画像表示面に沿って複数の有機ＥＬ素子（不図示）が配列され、有機ＥＬ素子の発光の組み合わせにより画像が表示される。なお、パネル１００は、一例として、トップエミッション型かつアクティブマトリクス方式を採用している。
【００２５】
駆動制御部１７は、駆動回路１８〜２１と制御回路２２とから構成されている。駆動回路１８〜２１は、各有機ＥＬ素子に電力を供給する電源回路、各有機ＥＬ素子への供給電力を調整する電圧信号を印加する信号回路、一定の間隔ごとに電圧信号を印加する有機ＥＬ素子を切り替える走査回路などを有する。制御回路２２は、外部から入力された画像情報を含むデータに応じて、駆動回路１８〜２１の動作を制御する。駆動制御部１７は、駆動回路１８〜２１から延伸する配線等を介し、各有機ＥＬ素子の電極と電気的に接続され、各有機ＥＬ素子に電力を供給することで、各有機ＥＬ素子の発光を駆動する。
【００２６】
なお、図１では、駆動回路１８〜２１がパネル１００の周囲に４つ配置されているが、駆動制御部１７の構成はこれに限定されるものではなく、駆動回路の数や位置は適宜変更可能である。
２．パネル１００の構成
（１）平面構成
図２は、パネル１００の画像表示面の一部を拡大した模式平面図である。パネル１００では、画像表示面上に配置された隔壁２に、複数の開口２ａが形成されている。この開口２ａの各々は、第１副画素ＳＰＲ、第２副画素ＳＰＧ、第３副画素ＳＰＢ、第４副画素ＳＰＭ、第５副画素ＳＰＣ及び第６副画素ＳＰＢ２のいずれかとなっている。よって、以下では、開口２ａを副画素２ａという場合がある。
【００２７】
パネル１００では、各副画素２ａが画像表示面上において、行方向Ｘ及び列方向Ｙからなる行列状に配置されている。また、各画素Ｐは、複数の副画素２ａ、具体的には第１副画素ＳＰＲと、第２副画素ＳＰＧと、第３副画素ＳＰＢと、第４副画素ＳＰＭと、第５副画素ＳＰＣと、第６副画素ＳＰＢ２と、を一つずつ備える。ここで、各画素Ｐにおいて、第１副画素ＳＰＲ、第２副画素ＳＰＧ及び第３副画素ＳＰＢが並ぶ行と、第４副画素ＳＰＭ、第５副画素ＳＰＣ及び第６副画素ＳＰＢ２が並ぶ行とが、列方向Ｙに並んでいる。したがって、各画素Ｐも、画像表示面上において、行方向Ｘ及び列方向Ｙからなる行列状に配列されている。
【００２８】
以下では説明のため、画素Ｐにおいて第１副画素ＳＰＲ、第２副画素ＳＰＧ及び第３副画素ＳＰＢが並ぶ領域をＲＧＢ領域、画素Ｐにおいて第４副画素ＳＰＭ、第５副画素ＳＰＣ及び第６副画素ＳＰＢ２が並ぶ領域をＭＣＢ２領域という場合がある。
（２）断面構成
図３は、図２のＸ１−Ｘ１線に沿った模式断面図であり、図４は、図２のＸ２−Ｘ２線に沿った模式断面図である。すなわち、図３はＲＧＢ領域の断面図であり、図４はＭＣＢ２領域の断面図である。以下では、説明のため、図２及び図３に示すＺ方向を上方向とする。また、各部材を行方向Ｘ及び列方向Ｙを含むＸＹ平面（画像表示面）に垂直投影した際に現れる形状を平面形状とする。
【００２９】
パネル１００では、基板１上に隔壁２が配置され、隔壁２に形成された開口２ａの各々には、陽極である第１電極３、複数の機能層Ｆ、陰極である第２電極１１が基板１側から順に配置されている。すなわち、各副画素２ａに、正構造の有機ＥＬ素子が配置されている。また各副画素２ａは、複数の機能層Ｆとして、基板１側から順に正孔注入層４、正孔輸送層５、第２電子輸送層１０を含んでいる。また、第２電極１１上には薄膜封止層１２、樹脂層１３及び封止材１５が配置されている。
【００３０】
ここで、図３に示すように、第１副画素ＳＰＲ、第２副画素ＳＰＧ、第３副画素ＳＰＢは、機能層Ｆとして、それぞれ赤色有機発光層６Ｒ、緑色有機発光層６Ｇ、第１青色有機発光層６Ｂを含んでいる。なお、以下では、赤色有機発光層６Ｒ、緑色有機発光層６Ｇ、第１青色有機発光層６Ｂを特に区別しないときは、有機発光層６とする。
また、第１副画素ＳＰＲ、第２副画素ＳＰＧ、第３副画素ＳＰＢでは、樹脂層１３と封止材１５との間に、それぞれ赤色カラーフィルタ１４Ｒ、緑色カラーフィルタ１４Ｇ、青色カラーフィルタ１４Ｂが配置されている。なお、パネル１００はトップエミッション型であるため、樹脂層１３と封止材１５との間は、有機発光層６に対して、光の取り出し側となっている。また、以下では、赤色カラーフィルタ１４Ｒ、緑色カラーフィルタ１４Ｇ、青色カラーフィルタ１４Ｂを、カラーフィルタ１４Ｒ、１４Ｇ、１４Ｂと省略する場合がある。
【００３１】
また、図４に示すように、第４副画素ＳＰＭ、第５副画素ＳＰＣ、第６副画素ＳＰＢ２は、機能層Ｆとして、それぞれ赤色有機発光層６Ｒ、緑色有機発光層６Ｇ、第１青色有機発光層６Ｂを含んでいる。さらに、第４副画素ＳＰＭ、第５副画素ＳＰＣ及び第６副画素ＳＰＢ２は、機能層Ｆとして、有機発光層６上に、第１電子輸送層７、電荷発生層８、第２青色有機発光層９を基板１側から順に含んでいる。すなわち、第４副画素ＳＰＭ、第５副画素ＳＰＣ及び第６副画素ＳＰＢ２には、ＭＰＥ構造の有機ＥＬ素子が配置されている。
【００３２】
なお、図３及び図４では、第１電極３、正孔注入層４、正孔輸送層５及び有機発光層６は開口２ａごとに配置されており、第２電子輸送層１０、第２電極１１、薄膜封止層１２及び樹脂層１３は複数の開口２ａに渡って連続している。パネル１００ではこの構成に限られず、例えば、正孔注入層４及び正孔輸送層５が複数の開口２ａに渡って連続していてもよいし、例えば、第２電子輸送層１０及び第２電極１１が開口２ａごとに配置されていてもよい。
【００３３】
また、上記した機能層Ｆの構成は、あくまで一例であって、各副画素２ａでは、この他の機能層Ｆとして、例えば電子注入層、阻止層、バッファ層などを含む構成であってもよい。また、各副画素２ａでは、上記複数の機能層Ｆの一部、例えば正孔注入層４、正孔輸送層５、第１電子輸送層７、第２電子輸送層１０などを含まない構成であってもよい。
（３）各構成要素
ａ．基板１
基板１は、パネル１００の支持部材であり、基板１の主面の一方（図３及び図４の上面側）は、パネル１００の画像表示面である。基板１では、長方形平板状の基板本体上にＴＦＴ（Ｔｈｉｎ  Ｆｉｌｍ  Ｔｒａｎｓｉｓｔｏｒ）層（不図示）が形成されている。ＴＦＴ層には、ＴＦＴ素子、コンデンサ素子、配線などによって電子回路が構成されており、有機ＥＬ素子ごとに供給する電流を駆動制御部１７が制御できるようになっている（アクティブマトリクス方式）。また、ＴＦＴ層の最上部には、層間絶縁層が形成され、基板１の上面は平坦化されている。
【００３４】
基板本体は、電気絶縁性材料で形成されている。具体的には、当該材料は、例えば、無アルカリガラス、ソーダガラス、無蛍光ガラス、燐酸系ガラス、硼酸系ガラスなどのガラス材料又は石英などである。また、当該材料は、例えばアクリル系樹脂、スチレン系樹脂、ポリカーボネート系樹脂、エポキシ系樹脂、ポリエチレン、ポリエステル、ポリイミド、シリコーン系樹脂などのプラスチック材料、アルミナなどの金属酸化物材料などであってもよい。さらに、基板本体は、例えば、アルミニウムやステンレスなどの金属材料に電気絶縁性材料をコーティングしたものであってもよい。
【００３５】
ＴＦＴ層は、素子及び配線を形成する半導体、導電体、電気絶縁体の積層構造と、層間絶縁層とにより構成される。半導体としては、例えば、シリコン、インジウム−亜鉛−ガリウム酸化物などの酸化物半導体、複素芳香族化合物などの平面方向に広がったπ電子共役系を有する有機半導体などを用いることができる。導電体としては、例えば、アルミニウム、銅、金などの金属、酸化インジウムスズ（ＩＴＯ）や酸化インジウム亜鉛（ＩＺＯ）などの導電性酸化物などを用いることができる。絶縁体としては、例えば、窒化シリコン、酸化シリコン、酸窒化シリコン、酸化アルミニウム、アクリル系樹脂、ポリイミド系樹脂、シロキサン系樹脂、フェノール系樹脂などを用いることができる。層間絶縁層としては、電気絶縁性を有するパターニング可能な材料、例えば、アクリル系樹脂、ポリイミド系樹脂、シロキサン系樹脂、フェノール系樹脂などの有機材料を用いることができる。
【００３６】
ｂ．隔壁２
隔壁２は、各副画素２ａを物理的に規定し、かつ電気的に絶縁する役割を有する。隔壁２の形状は、行列状に配列された副画素２ａごとに区画するよう、各副画素２ａを取り囲む格子状となっている（ピクセルバンク方式）。
なお、図２に示すように、隔壁２は、開口２ａの平面形状が列方向Ｙを長軸、行方向Ｘを短軸とする略楕円状となるように形成されている。より具体的には、隔壁２は、開口２ａの行方向Ｘに対向する２辺が直線状に、列方向Ｙに対向する２辺が半円弧状になるように開口２ａを囲んでいる。このように開口２ａを角のない平面形状にすることで、開口２ａ内に各層を形成する際の形成不良の発生を低減できる。
【００３７】
隔壁２の材料は、電気絶縁性を有していればよく、有機溶剤、酸やアルカリ、熱などに対する耐性を有することが好ましい。当該材料は、例えば、樹脂などの有機材料又はガラスなどの無機材料である。具体的な例として、有機材料は、アクリル系樹脂、ポリイミド系樹脂、ノボラック型フェノール樹脂など、無機材料は、ＳｉＯ（酸化シリコン）、ＳｉＮ（窒化シリコン）などが挙げられる。
【００３８】
隔壁２の形成方法としては、例えば、基板１の主面上に感光性樹脂を塗布し、フォトリソグラフィ法により開口２ａに対応したパターンを形成すればよい。
ｃ．第１電極３
第１電極３は、有機ＥＬ素子の構成要素の一つであり、ＴＦＴ層のＴＦＴ素子を介して駆動制御部１７から供給された電力を受けて、有機発光層６側に正孔を供給する陽極としての役割を有する。なお、パネル１００はトップエミッション型であるため、第１電極３は光反射性を有することが好ましい。これは、第１電極３の材料に光反射性を有するものを用いてもよいし、第１電極３の一部に反射コーティングを施してもよい。
【００３９】
例えば図３及び図４に示すように、第１電極３の行方向Ｘ及び列方向Ｙ側の端部は隔壁２に覆われる。これにより隣接する第１電極３同士は電気的に絶縁され、パネル１００では副画素２ａごとに電力の供給を行うことが可能となっている。
第１電極３の材料は、例えば、Ａｌ（アルミニウム）、アルミニウム合金、Ａｇ（銀）、ＡＰＣ（銀、パラジウム及び銅の合金）、ＡＲＡ（銀、ルビジウム及び金の合金）、Ｍｏ（モリブデン）、ＭｏＣｒ（モリブデンとクロムとの合金）、ＭｏＷ（モリブデンとタングステンとの合金）、ＮｉＣｒ（ニッケルとクロムとの合金）などである。
【００４０】
また、第１電極３は、上記材料の上部に透明導電層を設ける構成であってもよい。透明導電層は、製造過程において上記材料が酸化するのを防ぐ保護層として機能する。透明導電層の材料としては、例えば、ＩＴＯ（酸化インジウムスズ）、ＩＺＯ（酸化インジウム亜鉛）などである。
第１電極３の形成方法としては、例えば、真空蒸着法、電子ビーム蒸着法、スパッタリング法、反応性スパッタリング法、イオンプレーティング法、気相成長法等の乾式プロセスを用いることができ、スパッタリング法を用いることが好ましい。また、当該形成方法として、印刷法、スピンコート法、インクジェット法などを用いてもよい。
【００４１】
ｄ．正孔注入層４
正孔注入層４は、有機ＥＬ素子の構成要素である機能層Ｆの一つであり、第１電極３から供給される正孔を有機発光層６への注入する際のエネルギー障壁を低減させる役割を有する。
正孔注入層４の材料は、例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポリフィリン化合物、芳香族第三級アミン化合物、スチリルアミン化合物、ブタジエン化合物、アザトリフェニレン誘導体、ポリスチレン誘導体、トリフェニルメタン誘導体、テトラフェニルベンジン誘導体（いずれも特開平５−１６３４８８号公報に記載）や、ＰＥＤＯＴ：ＰＳＳ（ポリチオフェンとポリスチレンスルホン酸との混合物）などの有機化合物、酸化タングステン（ＷＯ）、酸化モリブデン（ＭｏＯ）、酸化モリブデンタングステン（ＭｏＷＯ）などの遷移金属の酸化物などである。これ以外にも、当該材料は遷移金属の窒化物、又は酸窒化物などの金属化合物であってもよい。
【００４２】
正孔注入層４の形成方法としては、印刷法、スピンコート法、インクジェット法などの湿式プロセスを用いることができる。また、真空蒸着法、電子ビーム蒸着法、スパッタリング法、反応性スパッタリング法、イオンプレーティング法、気相成長法などの乾式プロセスを用いることもできる。材料コストや形成精度の点からは、湿式プロセスを用いることが好ましい。
【００４３】
ｅ．正孔輸送層５
正孔輸送層５は、有機ＥＬ素子の構成要素である機能層Ｆの一つであり、正孔注入層４を通じて注入された正孔を効率良く有機発光層６へ輸送する役割を有する。
正孔輸送層５の材料は、例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポリフィリン化合物、芳香族第三級アミン化合物、スチリルアミン化合物、ブタジエン化合物、ポリスチレン誘導体、トリフェニルメタン誘導体、テトラフェニルベンジン誘導体（いずれも特開平５−１６３４８８号公報に記載）などである。また、当該材料は、ポリフィリン化合物、芳香族第三級アミン化合物、スチリルアミン化合物であることが好ましい。
【００４４】
正孔輸送層５の形成方法は、例えば正孔注入層４の形成方法として例示した方法を用いることができる。
ｆ．有機発光層６
有機発光層６は、有機ＥＬ素子の構成要素である機能層Ｆの一つであり、第１電極３及び第２電極１１（又は電荷発生層８）から供給された正孔及び電子の再結合による発光が行われる部位である。有機発光層６は、赤色、緑色、青色の光を発する有機材料をそれぞれ含む赤色有機発光層６Ｒ、緑色有機発光層６Ｇ、第１青色有機発光層６Ｂのいずれかである。
【００４５】
有機発光層６の材料は、例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物、アザキノロン化合物、ピラゾリン誘導体、ピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属鎖体、２−ビピリジン化合物の金属鎖体、シッフ塩とＩＩＩ族金属との鎖体、オキシン金属鎖体、希土類鎖体等の蛍光物質（いずれも特開平５−１６３４８８号公報に記載）などである。
【００４６】
有機発光層６の形成方法としては、印刷法、スピンコート法、インクジェット法などの湿式プロセスを用いることができる。また、真空蒸着法、電子ビーム蒸着法、スパッタリング法、反応性スパッタリング法、イオンプレーティング法、気相成長法などの乾式プロセスを用いることもできる。材料コストや形成精度の点からは、湿式プロセスを用いることが好ましい。
【００４７】
ｇ．第１電子輸送層７
第１電子輸送層７は、ＭＰＥ構造の有機ＥＬ素子における機能層Ｆの一つであり、後述する電荷発生層８から注入された電子を効率良く有機発光層６へ輸送する役割を有する。図２に示すように、第１電子輸送層７の形状は、ＭＣＢ２領域が並ぶ行全体において連続している。
【００４８】
第１電子輸送層７の材料は、例えば、ニトロ置換フルオレノン誘導体、チオピランジオキサイド誘導体、ジフェキノン誘導体、ペリレンテトラカルボキシル誘導体、アントラキノジメタン誘導体、フレオレニリデンメタン誘導体、アントロン誘導体、オキサジアゾール誘導体、ペリノン誘導体、キノリン錯体誘導体（いずれも特開平５−１６３４８８号公報に記載）、リンオキサイド誘導体、トリアゾール誘導体、トジアジン誘導体、シロール誘導体、ジメシチルボロン誘導体、トリアリールボロン誘導体などである。
【００４９】
なお、上記材料に、Ｎａ、Ｂａ、Ｃａなどのアルカリ金属又はアルカリ土類金属をドーピングしてもよく、これにより第１電子輸送層７に対する電子注入性を向上することができる。
第１電子輸送層７の形成方法としては、真空蒸着法、電子ビーム蒸着法、スパッタリング法、反応性スパッタリング法、イオンプレーティング法、気相成長法などの乾式プロセスを用いることができ、真空蒸着法を用いることが好ましい。なお、この際、シャドウマスク法により、ＭＣＢ２領域が並ぶ行にのみ開口したマスクを用いれば、図２に示すようなパターンの第１電子輸送層７を形成することができる。
【００５０】
ｈ．電荷発生層８
電荷発生層８は、ＭＰＥ構造の有機ＥＬ素子における機能層Ｆの一つであり、有機発光層６側に電子を、第２青色有機発光層９側に正孔をそれぞれ供給する役割を果たす。図２に示すように、電荷発生層８の形状も第１電子輸送層７と同じく、ＭＣＢ２領域が並ぶ行全体において連続している。
【００５１】
電荷発生層８は、電子受容性物質と電子供与性物質とから構成され、一定の比抵抗（例えば１．０×１０2Ω・ｃｍ以上）を有する電気絶縁層である。電荷発生層８では、電子受容性物質と電子供与性物質との間で酸化還元反応によってラジカルカチオンとラジカルアニオンとからなる電荷移動錯体が形成される。この電荷移動錯体中のラジカルカチオン（正孔に相当）とラジカルアニオン（電子に相当）は、外部からの電圧印加によってそれぞれ第２電極１１（陰極）方向、第１電極３（陽極）方向へ移動する。
【００５２】
なおこの際、電荷発生層８が導電性を有すると、外部から電圧印加されていない電荷発生層８の領域においても、電圧印加された領域と等電位となることで第１電極３又は第２電極１１との電位差が生じ、正孔又は電子の供給が発生してしまう。そこで、電荷発生層８は、一定の比抵抗を有することにより、電圧が印加されない電荷発生層８の領域における正孔又は電子の供給を抑制している。
【００５３】
以上により、電荷発生層８は、電圧が印加された副画素２ａのみにおいて、有機発光層６側に電子を、第２青色有機発光層９側に正孔を供給する。
電荷発生層８の材料は、例えばＡｇ、Ａｕ（金）、Ａｌなどの金属薄膜、酸化バナジウム、酸化モリブデン、酸化レニウム、酸化タングステンなどの金属酸化物、ＩＴＯ、ＩＺＯ、ＡＺＯ、ＧＺＯ、ＡＴＯ、ＳｎＯ2などの透明導電膜、いわゆるｎ型半導体とｐ型半導体の積層体、金属薄膜もしくは透明導電膜とｎ型半導体及び／又はｐ型半導体との積層体、ｎ型半導体とｐ型半導体の混合物、ｎ型半導体及び／又はｐ型半導体と金属との混合物、などを挙げることができる。ｎ型半導体やｐ型半導体としては、無機材料であっても、有機材料であってもよく、あるいは有機材料と金属との混合物や、有機材料と金属酸化物や、有機材料と有機系アクセプタ／ドナー材料や、無機系アクセプタ／ドナー材料等の組合せによって得られるものであってもよく、特に制限されることなく必要に応じて選定して使用することができる（特許文献２に記載）。
【００５４】
具体的には、電子受容性物質を構成する材料は、例えば、Ｖ2Ｏ5、ＭｏＯ3、ＷＯ3、ｎ型の半導体特性を示す有機半導体であるテトラシアノキノジメタン（ＴＣＮＱ）などである。また、電子供与性物質を構成する材料は、例えば、アリール誘導体などである。また、電荷発生層８を強電子受容性物質（例えばＨＡＴＣＮ６）で構成し、この強電子受容性物質の第２電極１１側に電子供与性物質（例えばＮＰＢ）からなる層を配置する構成としてもよい（Ｏｒｇａｎｉｃ  Ｅｌｅｃｔｒｏｎｉｃｓ  １２  （２０１１）、７１０−７１５に記載）。
【００５５】
また、電荷発生層８をＡｌ／Ａｕ、Ｃｕ（銅）／Ａｇ、Ｆ16ＣｕＰｃ／ＣｕＰｃ（ヘキサデカフルオロ銅フタロシアニン／銅フタロシアニン）、Ａｌ／ＷＯ3／Ａｕなどを用いる構成としてもよい（ＡＰＰＬＩＥＤ  ＰＨＹＳＩＣＳ  ＬＥＴＴＥＲＳ  ９１  （２００７）、１２３５０４に記載）。
なお、電荷発生層８の形成方法は、例えば第１電子輸送層７の形成方法として例示した方法を用いることができる。
【００５６】
ｉ．第２青色有機発光層９
第２青色有機発光層９は、ＭＰＥ構造の有機ＥＬ素子における機能層Ｆの一つであり、有機発光層６と同様に、電荷発生層８及び第２電極１１から供給された正孔及び電子の再結合による発光が行われる部位である。なお、第２青色有機発光層９は、青色の光を発する。図２に示すように、第２青色有機発光層９の形状も第１電子輸送層７及び電荷発生層８と同じく、ＭＣＢ２領域が並ぶ行全体において連続している。
【００５７】
第２青色有機発光層９の材料は、例えば有機発光層６において例示した材料である。また、第２青色有機発光層９の形成方法は、例えば第１電子輸送層７の形成方法として例示した方法を用いることができる。なお、第２青色有機発光層９を乾式プロセスにより形成することで、湿式プロセスで形成するよりも発光効率を高めることができる。
パネル１００では、第１電子輸送層７、電荷発生層８及び第２青色有機発光層９が、第４副画素ＳＰＭ、第５副画素ＳＰＣ、第６副画素ＳＰＢ２が並ぶ行全体において連続する。これは、第１電極３、正孔注入層４、正孔輸送層５及び有機発光層６のように、開口２ａごとに形成された層に比べて非常に簡易な形状であり、パネル１００の生産効率を向上させることができる。特に、第１電子輸送層７、電荷発生層８及び第２青色有機発光層９を真空蒸着法で形成した場合、シャドウマスクを比較的簡易な形状とでき、かつ高精度な位置合わせも不要となるため、生産効率の向上効果が大きい。
【００５８】
ｊ．第２電子輸送層１０
第２電子輸送層１０は、有機ＥＬ素子の構成要素である機能層Ｆの一つであり、第２電極１１から供給された電子を効率良く有機発光層６又は第２青色有機発光層９へ輸送する役割を有する。第２電子輸送層１０は、開口２ａのすべてに渡って連続する。
第２電子輸送層１０の材料は、例えば、第１電子輸送層７において例示した材料である。また、第２電子輸送層１０の形成方法は、真空蒸着法、電子ビーム蒸着法、スパッタリング法、反応性スパッタリング法、イオンプレーティング法、気相成長法などの乾式プロセスを用いることができ、真空蒸着法を用いることが好ましい。
【００５９】
ｋ．第２電極１１
第２電極１１は、有機ＥＬ素子の構成要素の一つであり、有機発光層６側又は第２青色有機発光層９側に電子を供給する陰極としての役割を有する。なお、パネル１００はトップエミッション型であるため、第２電極１１は光透過性を有する必要がある。第２電極１１も、第２電子輸送層１０と同様に、開口２ａのすべてに渡って連続する。
【００６０】
第２電極１１の材料は、例えば、ＩＴＯやＩＺＯなどの透明導電性酸化物である。また、当該材料からなる層にＡｇ、Ａｕ、Ｐｔ（白金）、Ｐｄ（パラジウム）、Ｎｉ（ニッケル）、Ｃｕ、Ａｌなどの金属又はこれらの合金の層を積層した構造や、ＡｌやＡｇを含む金属薄膜であってもよい。なお、第２電極１１の形成方法としては、例えば第１電極３の形成方法として例示した方法を用いることができる。
【００６１】
ｌ．薄膜封止層１２
薄膜封止層１２は、有機ＥＬ素子の各構成要素が水分や酸素などと接触することを抑制する役割を有する。また、薄膜封止層１２は、第２電極１１と樹脂層１３、封止材１５などとの中間値となる屈折率を有することで、パネル１００における有機ＥＬ素子の光の取り出し効率を向上する役割を有してもよい。薄膜封止層１２も、第２電子輸送層１０及び第２電極１１と同様に、開口２ａのすべてに渡って連続する。
【００６２】
薄膜封止層１２の材料は、例えば、ＳｉＮ、ＳｉＯＮ（酸窒化シリコン）などの無機材料で形成されている。また、薄膜封止層１２の形成方法は、真空蒸着法、電子ビーム蒸着法、スパッタリング法、反応性スパッタリング法、イオンプレーティング法、気相成長法などの乾式プロセスを用いることができ、反応性スパッタリング法を用いることが好ましい。
【００６３】
ｍ．樹脂層１３
樹脂層１３は、薄膜封止層１２までの各層が積層された基板１と、カラーフィルタ１４Ｒ、１４Ｇ、１４Ｂが配置された封止材１５とを貼り合わせる役割を有する。したがって、樹脂層１３は、薄膜封止層１２とカラーフィルタ１４Ｒ、１４Ｇ、１４Ｂ及び封止材１５との間に配置される。樹脂層１３の材料は、例えばエポキシ系樹脂、アクリル系樹脂、シリコーン系樹脂などの硬化性樹脂である。樹脂層１３の形成方法は、例えば、まずディスペンス法、印刷法、ダイコート法などの湿式プロセスによって薄膜封止層１２上又はカラーフィルタ１４Ｒ、１４Ｇ、１４Ｂが配置された封止材１５上に樹脂層１３の材料を一様に塗布する。次に、基板１と封止材１５とを貼り合わせ、さらに熱、光又は硬化剤などによって樹脂層１３の材料を硬化させればよい。
【００６４】
ｎ．カラーフィルタ１４Ｒ、１４Ｇ、１４Ｂ
カラーフィルタ１４Ｒ、１４Ｇ、１４Ｂは、有機発光層６の発する光のうち、特定の波長帯の光を遮断し、第１副画素ＳＰＲ、第２副画素ＳＰＧ及び第３副画素ＳＰＢの発光色（パネル１００の外部へ取り出される光）の色純度を向上させる役割を有する。具体的には、赤色カラーフィルタ１４Ｒ、緑色カラーフィルタ１４Ｇ、青色カラーフィルタ１４Ｂが、それぞれ赤色有機発光層６Ｒ、緑色有機発光層６Ｇ、第１青色有機発光層６Ｂの発する光の赤色、緑色、青色の色純度を向上させる機能を有する。
【００６５】
なお、パネル１００では、図４に示すように、第４副画素ＳＰＭ、第５副画素ＳＰＣ及び第６副画素ＳＰＢ２にはカラーフィルタは配置されていない。これにより、第４副画素ＳＰＭ、第５副画素ＳＰＣ及び第６副画素ＳＰＢ２では、有機発光層６及び第２青色有機発光層９の発する光の成分が失われず、発光効率が向上することで、発光寿命が向上する。
【００６６】
また、パネル１００では、隔壁２の上方の封止材１５直下に、可視光を遮断するブラックマトリクス領域を形成してもよい。これにより、パネル１００のコントラスト比を向上させることができる。
カラーフィルタ１４Ｒ、１４Ｇ、１４Ｂの材料は、公知の有機材料、例えば、市販のカラーレジストなどである。なお、ブラックマトリクス領域を形成する場合は、当該領域の材料として、例えば黒色顔料を含む有機材料などを用いることができる。
【００６７】
カラーフィルタ１４Ｒ、１４Ｇ、１４Ｂの形成方法は、例えば、ディスペンス法、印刷法、ダイコート法などの湿式プロセスを用いることができる。具体的には、例えば、封止材１５上の隔壁２に対応する位置にブラックマトリクス領域となる隔壁を形成し、当該隔壁間にカラーフィルタ１４Ｒ、１４Ｇ、１４Ｂの材料を含有した有機溶液を塗布し、有機溶液の溶媒を乾燥させればよい。
【００６８】
ｏ．封止材１５
封止材１５は、各構成要素が積層された基板１の上方を封止する平板状の部材であり、外気からの水分や酸素の浸透を抑制し、また外圧などからパネル１００の内部構造（有機ＥＬ素子など）を保護する役割を有する。また、封止材１５は、樹脂層１３やカラーフィルタ１４Ｒ、１４Ｇ、１４Ｂに対しては支持材としての役割を有する。また、トップエミッション型であるパネル１００においては、良好な光透過性（透明性）を有することが好ましい。封止材１５の材料は、例えば、基板１において例示したガラス材料、石英又はプラスチック材料などである。
【００６９】
３．パネル１００の機能
（１）ＲＧＢ領域での発光
ＲＧＢ領域では、ＴＦＴ層のＴＦＴ素子を介した駆動制御部１７からの電力の供給により、各副画素２ａに配置された有機ＥＬ素子の第１電極３、第２電極１１が、有機発光層６に対し、正孔、電子をそれぞれ供給する。この正孔及び電子が有機発光層６で再結合することにより、有機発光層６内の有機材料が励起され、さらに当該有機材料が基底状態に戻る際に所定の波長の光を発する。この際、第１副画素ＳＰＲの赤色有機発光層６Ｒ、第２副画素ＳＰＧの緑色有機発光層６Ｇ、第３副画素ＳＰＢの第１青色有機発光層６Ｂは、それぞれ赤色、緑色、青色の光を発する。
【００７０】
有機発光層６が発した光（第１電極３側からの反射光含む）は、光透過性を有する第２電極１１側から出射し、カラーフィルタ１４Ｒ、１４Ｇ、１４Ｂを介して封止材１５からパネル１００の外部へ出射する。
以上により、第１副画素ＳＰＲ、第２副画素ＳＰＧ、第３副画素ＳＰＢは、カラーフィルタ１４Ｒ、１４Ｇ、１４Ｂによって有機発光層６の発する光よりも色純度が向上した赤色、緑色、青色にそれぞれ発光する。
【００７１】
（２）ＭＣＢ２領域での発光
ＭＣＢ２領域では、駆動制御部１７からの電力の供給により、各副画素２ａに配置された有機ＥＬ素子の第１電極３が有機発光層６へ正孔を供給し、第２電極１１が第２青色有機発光層９へ電子を供給する。また、この電力供給の際の電圧印加により、電荷発生層８が、有機発光層６へ電子を、第２青色有機発光層９へは正孔をそれぞれ供給する。これにより、ＭＣＢ２領域では、有機発光層６と第２青色有機発光層９との両方において、正孔及び電子の再結合が発生し、各有機発光層が所定の波長の光を発する。
【００７２】
具体的には、第４副画素ＳＰＭでは、赤色有機発光層６Ｒが赤色の光を、第２青色有機発光層９が青色の光を発する。また、第５副画素ＳＰＣでは、緑色有機発光層６Ｇが緑色の光を、第２青色有機発光層９が青色の光を発する。さらに、第６副画素ＳＰＢ２では、第１青色有機発光層６Ｂが青色の光を、第２青色有機発光層９も青色の光を発する。これらの光（第１電極３側からの反射光含む）は光透過性を有する第２電極１１側から出射し、封止材１５からパネル１００の外部へ出射する。
【００７３】
以上により、第４副画素ＳＰＭ、第５副画素ＳＰＣ、第６副画素ＳＰＢ２は、有機発光層６及び第２青色有機発光層９の発する光を混合した、マゼンタ色、シアン色、青色にそれぞれ発光する。
（３）パネル１００の各画素Ｐの表現可能な色域
図５は、パネル１００と比較例とにおける各画素の色域を示す色度図である。パネル１００では、図２に示すように、各画素Ｐが、第１副画素ＳＰＲ、第２副画素ＳＰＧ、第３副画素ＳＰＢ、第４副画素ＳＰＭ、第５副画素ＳＰＣ及び第６副画素ＳＰＢ２を１つずつ備える。ここで、図５の比較例として、各画素が一般的な構成、すなわち、各画素が、第１副画素ＳＰＲ、第２副画素ＳＰＧ及び第３副画素ＳＰＢのみを１つずつ備える有機ＥＬ表示パネル９００（以下、「パネル９００」という。）を考える。なお、パネル９００では、第１副画素ＳＰＲ、第２副画素ＳＰＧ及び第３副画素ＳＰＢにカラーフィルタ１４Ｒ、１４Ｇ、１４Ｂが配置され、各副画素の発光色の色純度を向上させている。これにより、パネル９００では、各画素において各規格の定める色域を広くカバーでき、色の再現性の低下を抑制している。
【００７４】
図５のＲ、Ｇ、Ｂ、Ｍ、Ｃの各点は、それぞれ第１副画素ＳＰＲ、第２副画素ＳＰＧ、第３副画素ＳＰＢ、第４副画素ＳＰＭ、第５副画素ＳＰＣの発光色の色度を示している。したがって、図のＲＧＢの各点を繋いだ三角形内が、パネル９００の各画素の表現可能な色域であり、図のＲＧＣＢＭの各点を繋いだ五角形内が、パネル１００の各画素Ｐの表現可能な色域である。
【００７５】
パネル１００の各画素Ｐはパネル９００と同構成、すなわちカラーフィルタ１４Ｒ、１４Ｇ、１４Ｂによって色純度が向上した赤色、緑色、青色にそれぞれ発光可能な第１副画素ＳＰＲ、第２副画素ＳＰＧ、第３副画素ＳＰＢを備える。これにより、図５に示すように、パネル１００の各画素Ｐは、パネル９００の各画素が表現可能な色域を表現できる。したがって、パネル１００では、各画素Ｐにおける色の再現性の低下を抑制できる。
【００７６】
次に、図５に示すように、Ｍ及びＣの色度は、ＲＧＢを頂点とする三角形の外側に位置している。つまり、パネル１００の各画素Ｐは、パネル９００の各画素が表現可能なマゼンタ色、シアン色よりも彩度が向上したマゼンタ色、シアン色にそれぞれ発光可能な第４副画素ＳＰＭ、第５副画素ＳＰＣを備える。したがって、パネル１００では、各画素Ｐにおいて彩度が向上したマゼンタ色及びシアン色を表現できる。
【００７７】
なお、このようなＭ及びＣの色度は、カラーフィルタ通過前後で赤色有機発光層６Ｒ、緑色有機発光層６Ｇ、第１青色有機発光層６Ｂの発光色の色度が異なることで実現可能となる。図５のＲ０、Ｇ０、Ｂ０は、カラーフィルタを介さない赤色有機発光層６Ｒ、緑色有機発光層６Ｇ、第１青色有機発光層６Ｂの発光色の色度を示す。
第４副画素ＳＰＭ、第５副画素ＳＰＣの発光色の色度は、それぞれ色度図上のＲ０とＢ０とを結ぶ線上、Ｇ０とＢ０とを結ぶ線上に位置する。図５では、Ｒ０、Ｇ０、Ｂ０が、それぞれＲ、Ｇ、Ｂよりも長波長側に位置している。これは、一般的な有機ＥＬ素子の傾向を示している（特許文献１の段落０００９参照）。
【００７８】
このとき、第４副画素ＳＰＭ、第５副画素ＳＰＣの発光色の色度がそれぞれＲ０側、Ｂ０側に近くなるようにそれぞれの開口２ａを構成すれば、ＲＧＢを頂点とする三角形の外側にＭ及びＣを配置することができる。なお、第４副画素ＳＰＭ及び第５副画素ＳＰＣの発光色の色度は、当該副画素が含む有機発光層６及び第２青色有機発光層９の膜厚などにより、調整が可能である。
【００７９】
また、Ｒ０、Ｇ０、Ｂ０は必ずしもＲ、Ｇ、Ｂよりも長波長側に位置する必要はなく、例えば、Ｒ、Ｇ、Ｂより短波長側に位置していてもよい。この場合、第４副画素ＳＰＭ、第５副画素ＳＰＣの発光色の色度を、それぞれＢ０側、Ｇ０側に近くなるようにそれぞれの副画素を構成すれば、ＲＧＢの外側にＭ、Ｃを配置することができる。
また、Ｒ０、Ｇ０、Ｂ０の色度が同一の傾向を有する必要はなく、例えば、Ｂ０、Ｇ０がＢ、Ｇよりも長波長側、Ｒ０がＲよりも短波長側に位置する場合、第５副画素ＳＰＣの発光色の色度をＢ０側に近づければ少なくともＣはＲＧＢの三角形の外側に配置可能である。さらに、例えば、Ｇ０がＧよりも長波長側、Ｂ０、Ｒ０がＢ、Ｒよりも短波長側に位置する場合、第４副画素ＳＰＭの発光色の色度をＢ０側に近づければ、少なくともＭはＲＧＢの三角形の外側に配置可能である。
【００８０】
以上より、パネル１００では、各画素Ｐにおいて、色の再現性の低下を抑制しつつ、赤色有機発光層６Ｒ、緑色有機発光層６Ｇ及び青色有機発光層６Ｂ、９を用いて、彩度が向上したマゼンタ色及びシアン色を表現できる。
（４）その他
パネル１００は、各画素Ｐが、青色に発光可能な副画素２ａとして、第３副画素ＳＰＢ及び第６副画素ＳＰＢ２の２つを備える。一般に、有機ＥＬ表示パネルでは、赤色、緑色の副画素に比べて青色の副画素の発光寿命が短く、これが製品の寿命を規定している。パネル１００は、各画素Ｐに青色の副画素２ａを２つ備えるため、一般的な有機ＥＬ表示パネルに比べ、同じ発光輝度の青色を表現するための電流を低減することができる。特に、パネル１００では、第６副画素ＳＰＢ２の機能層Ｆが、第１青色有機発光層６Ｂ及び第２青色有機発光層９を含むＭＰＥ構造であり、第３副画素ＳＰＢよりも電流に対する発光効率が向上する。有機ＥＬ素子における発光寿命は、素子を流れる累積の電流（電荷量）に比例するため、パネル１００では、青色の副画素２ａの発光寿命が向上する。
【００８１】
４．変形例
以上、本発明の一態様として、パネル１００について説明したが、本発明は、その本質的な特徴的構成要素を除き、以上の説明に何ら限定を受けるものではない。以下では、本発明の態様の他の例として、パネル１００の変形例を説明する。なお、以下において、パネル１００と同じ部分については、同じ符号を付して説明を簡略化又は省略する。
【００８２】
（１）電荷発生層及び第２青色有機発光層の形状
パネル１００では、第１電子輸送層７、電荷発生層８及び第２青色有機発光層９は、ＭＣＢ２領域にのみ配置されていたが、本発明の態様はこれに限られない。図６は、変形例に係る有機ＥＬ表示パネル２００のＲＧＢ領域を示す模式断面図である。
有機ＥＬ表示パネル２００（以下、「パネル２００」という。）は、パネル１００と異なる構成として、第１電子輸送層２０７と、電荷発生層２０８と、第２青色有機発光層２０９とを備える。第１電子輸送層２０７、電荷発生層２０８及び第２青色有機発光層２０９は、第１電子輸送層７、電荷発生層８及び第２青色有機発光層９と異なり、副画素２ａのすべてに渡って連続している。すなわち、図６に示すように第１電子輸送層２０７、電荷発生層２０８及び第２青色有機発光層２０９は、ＲＧＢ領域にも配置されている。なお、パネル２００のＭＣＢ２領域の構造はパネル１００と同じである。
【００８３】
パネル２００では、第１副画素ＳＰＲ及び第２副画素ＳＰＧにおいて、第２青色有機発光層２０９が青色の光を発するが、赤色カラーフィルタ１４Ｒ及び緑色カラーフィルタ１４Ｇによって当該青色光が遮断される。よって、第１副画素ＳＰＲ、第２副画素ＳＰＧの発する赤色、緑色の色純度をパネル１００と同等に維持することができる。また、パネル２００では、第３副画素ＳＰＢにおいて、第２青色有機発光層２０９が第１青色有機発光層６Ｂの発する青色と異なる色度の青色の光を発する場合であっても、青色カラーフィルタ１４Ｂによって当該青色光の不要な成分が遮断される。よって、第３副画素ＳＰＢの発する青色の色純度をパネル１００と同等に維持することができる。また、パネル２００の各画素Ｐはパネル１００と同じ第４副画素ＳＰＭ、第５副画素ＳＰＣ及び第６副画素ＳＰＢ２を備える。したがって、パネル２００の各画素Ｐの表現可能な色域は図５に示すパネル１００の各画素Ｐの表現可能な色域と等しい。すなわち、パネル２００の構成でも、各画素Ｐにおいて、色の再現性の低下を抑制しつつ、赤色有機発光層６Ｒ、緑色有機発光層６Ｇ及び青色有機発光層６Ｂ、２０９を用いて、彩度が向上したマゼンタ色及びシアン色を表現できる。
【００８４】
また、パネル２００では、第１電子輸送層２０７、電荷発生層２０８及び第２青色有機発光層２０９が、パネル１００の第１電子輸送層７、電荷発生層８及び第２青色有機発光層９よりもさらに簡易な形状、いわゆるベタ膜となっているため、生産効率が向上する。特に、第１電子輸送層７、電荷発生層８及び第２青色有機発光層９を真空蒸着法で形成した場合、シャドウマスクを使用しない（又はパネル２００の端面部を覆う枠状とする）ことができ、更なる生産効率の向上を図ることができる。
【００８５】
なお、パネル１００のように、第１電子輸送層７、電荷発生層８及び第２青色有機発光層９をＲＧＢ領域に配置しない場合は、パネル２００に比べて第１副画素ＳＰＲ、第２副画素ＳＰＧ、第３副画素ＳＰＢの駆動電圧を低減できる。また、パネル１００ではパネル２００に比べて、第１副画素ＳＰＲ及び第２副画素ＳＰＧにおける、赤色カラーフィルタ１４Ｒ及び緑色カラーフィルタ１４Ｇによる光の遮蔽が少ないため、発光効率が向上する。
【００８６】
（２）第６副画素ＳＰＢ２へのカラーフィルタ配置
パネル１００では、カラーフィルタが、第１副画素ＳＰＲ、第２副画素ＳＰＧ及び第３副画素ＳＰＢにのみ配置されていたが、本発明の態様はこれに限られない。図７は、変形例に係る有機ＥＬ表示パネル３００のＭＣＢ２領域を示す模式断面図である。
有機ＥＬ表示パネル３００（以下、「パネル３００」という。）は、パネル１００と異なる構成として、第６副画素ＳＰＢ２にも青色カラーフィルタ３１４Ｂが配置されている。また、青色カラーフィルタ３１４Ｂは、第１青色有機発光層６Ｂ及び第２青色有機発光層９に対して光の取り出し側（樹脂層１３と封止材１５との間）に配置されている。
【００８７】
青色カラーフィルタ３１４Ｂは、青色以外の波長帯の光を遮断し、第１青色有機発光層６Ｂ及び第２青色有機発光層９の発する光の青色の色純度を向上させる機能を有する。これにより、第６副画素ＳＰＢ２では、より色純度が向上した青色に発光が可能となる。なお、パネル３００のＲＧＢ領域の構造はパネル１００又はパネル２００と同じである。
パネル３００の各画素Ｐは、パネル１００又はパネル２００の各画素Ｐと同じ構成の第１副画素ＳＰＲ、第２副画素ＳＰＧ、第３副画素ＳＰＢ、第４副画素ＳＰＭ及び第５副画素ＳＰＣを備える。したがって、パネル３００の構成でも、各画素Ｐにおいて、色の再現性の低下を抑制しつつ、赤色有機発光層６Ｒ、緑色有機発光層６Ｇ及び青色有機発光層６Ｂ、９を用いて、彩度が向上したマゼンタ色及びシアン色を表現できる。
【００８８】
また、パネル３００の各画素Ｐは、色純度が向上した青色に発光可能な第６副画素ＳＰＢ２を備えるため、各画素Ｐにおいて、青色の再現性を向上することができる。なお、パネル１００のように、第６副画素ＳＰＢ２に青色カラーフィルタ３１４Ｂを配置しない構成の場合は、図５に示すＢ０のように、第６副画素ＳＰＢ２の発光色の色度がＲＧＢを頂点とする三角形の外側に位置するため、各画素Ｐの表現可能な色域が拡大する。
【００８９】
（３）第４副画素及び第５副画素へのカラーフィルタの配置
パネル３００では、ＭＣＢ２領域においてカラーフィルタが、第６副画素ＳＰＢ２にのみ配置されていたが、本発明の態様はこれに限られない。図８は、変形例に係る有機ＥＬ表示パネル４００のＭＣＢ２領域を示す模式断面図である。
有機ＥＬ表示パネル４００（以下、「パネル４００」という。）は、パネル３００と異なる構成として、第４副画素ＳＰＭ、第５副画素ＳＰＣに、マゼンタ色カラーフィルタ４１４Ｍ、シアン色カラーフィルタ４１４Ｃがそれぞれ配置されている。なお、マゼンタ色カラーフィルタ４１４Ｍ、シアン色カラーフィルタ４１４Ｃは、有機発光層６及び第２青色有機発光層９に対して光の取り出し側（樹脂層１３と封止材１５との間）に配置されている。
【００９０】
マゼンタ色カラーフィルタ４１４Ｍ、シアン色カラーフィルタ４１４Ｃは、一定の波長帯の光を遮断することで、それぞれ有機発光層６及び第２青色有機発光層９の発する光を混合したマゼンタ色、シアン色の彩度をより向上する機能を有する。これにより、第４副画素ＳＰＭ、第５副画素ＳＰＣでは、より彩度が向上したマゼンタ色、シアン色にそれぞれ発光が可能となる。なお、パネル４００のＲＧＢ領域の構造はパネル１００又はパネル２００と同じである。
【００９１】
図９は、パネル４００と比較例とにおける各画素の色域を示す色度図である。パネル４００の各画素Ｐは、パネル１００又はパネル２００と同じ構成の第１副画素ＳＰＲ、第２副画素ＳＰＧ及び第３副画素ＳＰＢを備える。したがって、パネル４００の構成でも、各画素Ｐにおいて色の再現性の低下を抑制できる。
また、パネル１００に比べて彩度が向上したマゼンタ色、シアン色にそれぞれ発光可能な第４副画素ＳＰＭ、第５副画素ＳＰＣを備える。このとき、図９に示すように、第４副画素ＳＰＭ、第５副画素ＳＰＣの発光色の色度をそれぞれ示す点Ｍ、Ｃは、図５の点Ｍ、Ｃよりもさらに外側に位置することになる。したがって、パネル４００では、各画素Ｐにおいて、赤色有機発光層６Ｒ、緑色有機発光層６Ｇ及び青色有機発光層６Ｂ、９を用いて、さらに彩度が向上したマゼンタ色及びシアン色を表現できる。
【００９２】
（４）画素の構成
パネル１００では、画素Ｐが、第１副画素ＳＰＲ、第２副画素ＳＰＧ、第３副画素ＳＰＢ、第４副画素ＳＰＭ、第５副画素ＳＰＣ及び第６副画素ＳＰＢ２の隣接により構成されたが、本発明の態様はこれに限られない。図１０は、変形例に係る有機ＥＬ表示パネル５００の画像表示面の一部を拡大した模式平面図である。また、図１１は、図１０のＸ３−Ｘ３線に沿った模式断面図である。
【００９３】
図１０に示すように、有機ＥＬ表示パネル５００（以下、「パネル５００」という。）では、画素Ｐ５が、第１副画素ＳＰＲ、第２副画素ＳＰＧ、第３副画素ＳＰＢと、第４副画素ＳＰＭとの隣接により構成されている。また、図１０及び図１１に示すように、パネル５００は、パネル１００と異なる構成として、第１電子輸送層５０７と、電荷発生層５０８と、第２青色有機発光層５０９とを備える。第１電子輸送層５０７、電荷発生層５０８、第２青色有機発光層５０９は、第３副画素ＳＰＢ及び第４副画素ＳＰＭが並ぶ領域において列方向Ｙに延伸する形状を有する。すなわち、第１電子輸送層５０７、電荷発生層５０８及び第２青色有機発光層５０９は第３副画素ＳＰＢ及び第４副画素ＳＰＭにのみ配置されている。
【００９４】
このとき、パネル５００の各画素Ｐ５は、パネル１００と同じ構成の第１副画素ＳＰＲ及び第２副画素ＳＰＧを備える。また、パネル５００の第３副画素ＳＰＢでは、パネル１００と同じ青色カラーフィルタ１４Ｂが配置されることで、パネル１００の第３副画素ＳＰＢと同等に色純度が向上した青色に発光が可能となる。したがって、パネル５００の構成でも、各画素Ｐ５において色の再現性の低下を抑制することができる。
【００９５】
また、パネル５００の各画素Ｐ５は、パネル１００と同じ構成の第４副画素ＳＰＭを備える。したがって、パネル５００の構成でも、各画素Ｐ５において、赤色有機発光層６Ｒ、緑色有機発光層６Ｇ及び青色有機発光層６Ｂ、５０９を用いて、彩度の向上したマゼンタ色を表現することができる。
なお、本発明の一態様においては、各画素が、第１副画素ＳＰＲ、第２副画素ＳＰＧ及び第３副画素ＳＰＢに加えて、第４副画素としてマゼンタ色とシアン色とのうちの一方に発光可能な副画素を少なくとも備える構成であればよい。すなわち、パネル５００の各画素Ｐ５は、第４副画素ＳＰＭの代わりに第４副画素ＳＰＣを備える構成であってもよい。このとき、パネル５００では、各画素Ｐ５において、彩度の向上したシアン色を表現することができる。より一般的には、パネル５００の第４副画素（ＳＰＭ又はＳＰＣ）は、機能層として、赤色有機発光層６Ｒと緑色有機発光層６Ｇとのうちの一方、電荷発生層８及び第２青色有機発光層９をこの順に含めばよい。
【００９６】
また、パネル５００の各画素Ｐ５は、第４副画素（ＳＰＭ又はＳＰＣ）に加え、第５副画素としてパネル１００の第６副画素ＳＰＢ２を備える構成であってもよい。また、パネル５００の各画素Ｐ５は、第４副画素（ＳＰＭ又はＳＰＣ）に加え、第５副画素としてマゼンタ色とシアン色とのうちの第４副画素の発光色でない方に発光可能な副画素と、第６副画素ＳＰＢ２とを、を備える構成であってもよい。なお、この際、第５副画素、第６副画素は第４副画素と行方向Ｘに隣接して配置すると、第１電子輸送層５０７、電荷発生層５０８及び第２青色有機発光層５０９をこれらの副画素に渡って連続して形成できるため、生産効率が向上し、より好ましい。
【００９７】
また、パネル５００では、第３副画素ＳＰＢに第１電子輸送層５０７、電荷発生層５０８及び第２青色有機発光層５０９が配置されない構成（パネル１００の第３副画素ＳＰＢと同じ構成）であってもよい。
（５）有機発光層の材料
パネル１００では、ＲＧＢ領域とＭＣＢ２領域とで、同一材料の赤色有機発光層６Ｒ、緑色有機発光層６Ｇ及び第１青色有機発光層６Ｂを用いたが、本発明の態様はこれに限られない。図１２は、変形例に係る有機ＥＬ表示パネル６００のＲＧＢ領域を示す模式断面図である。
【００９８】
有機ＥＬ表示パネル６００（以下、「パネル６００」という。）では、第１副画素ＳＰＲ、第２副画素ＳＰＧ、第３副画素ＳＰＢが、機能層Ｆとして、第２赤色有機発光層６Ｒ２、第２緑色有機発光層６Ｇ２、第３青色有機発光層６Ｂ２をそれぞれ含んでいる。また、パネル６００の第１副画素ＳＰＲ、第２副画素ＳＰＧ及び第３副画素ＳＰＢでは、カラーフィルタ１４Ｒ、１４Ｇ、１４Ｂが配置されていない。なお、パネル６００のＭＣＢ２領域の構造はパネル１００と同じである。
【００９９】
第２赤色有機発光層６Ｒ２、第２緑色有機発光層６Ｇ２、第３青色有機発光層６Ｂ２は、それぞれ赤色有機発光層６Ｒ、緑色有機発光層６Ｇ、第１青色有機発光層６Ｂと異なる材料からなり、より色純度が向上した赤色、緑色、青色の光をそれぞれ発することができる。
このとき、第１副画素ＳＰＲ、第２副画素ＳＰＧ、第３副画素ＳＰＢでは、カラーフィルタ１４Ｒ、１４Ｇ、１４Ｂを配置しなくても、色純度が向上した赤色、緑色及び青色の光にそれぞれ発光することが可能である。したがって、パネル６００の構成でも、各画素Ｐにおいて、色の再現性の低下を抑制することができる。
【０１００】
また、第４副画素ＳＰＭ、第５副画素ＳＰＣ、第６副画素ＳＰＢ２が機能層Ｆとして含む赤色有機発光層６Ｒ、緑色有機発光層６Ｇ、第１青色有機発光層６Ｂは、それぞれ第２赤色有機発光層６Ｒ２、第２緑色有機発光層６Ｇ２、第３青色有機発光層６Ｂ２と異なる色度の光を発する。したがって、図５に示すように、第４副画素ＳＰＭ、第５副画素ＳＰＣ及び第６副画素ＳＰＢ２の色度をＲＧＢの三角形の外側に位置させることが可能となる。すなわち、パネル６００の構成でも、各画素Ｐにおいて、赤色有機発光層６Ｒ、第２赤色有機発光層６Ｒ２、緑色有機発光層６Ｇ、第２緑色有機発光層６Ｇ２及び第１青色有機発光層６Ｂ、第３青色有機発光層６Ｂ２、第２青色有機発光層９を用いて、彩度の向上したマゼンタ色及びシアン色を表現することができる。
【０１０１】
（６）その他
パネル１００では、各画素ＰのＲＧＢ領域において、第１副画素ＳＰＲ、第２副画素ＳＰＧ、第３副画素ＳＰＢが、行方向Ｘにこの順に並んでいた。また、各画素ＰのＭＣＢ２領域において、第４副画素ＳＰＭ、第５副画素ＳＰＣ、第６副画素ＳＰＢ２が、行方向Ｘにこの順に並んでいたが、本発明の態様はこれに限られない。各画素Ｐにおいては、ＲＧＢ領域として第１副画素ＳＰＲ、第２副画素ＳＰＧ及び第３副画素ＳＰＢが並ぶ行と、ＭＣＢ２領域として第４副画素ＳＰＭ、第５副画素ＳＰＣ及び第６副画素ＳＰＢ２が並ぶ行とが、列方向Ｙに並べばよく、この際の順序に限定はない。具体的には、各画素Ｐにおいて、ＲＧＢ領域では例えば行方向Ｘに第１副画素ＳＰＲ、第３副画素ＳＰＢ、第２副画素ＳＰＧの順に、ＭＣＢ２領域では例えば行方向Ｘに第５副画素ＳＰＣ、第４副画素ＳＰＭ、第６副画素ＳＰＢ２の順に並んでもよい。
【０１０２】
また、パネル５００でも同様に、第１副画素ＳＰＲ、第２副画素ＳＰＧ、第３副画素ＳＰＢ及び第４副画素ＳＰＭの並ぶ順番に限定はない。なお、パネル５００では、ＭＰＥ構造の有機ＥＬ素子を配置した副画素２ａを隣接させると、生産効率が向上し、製造上有利である。
また、パネル１００及び５００では、各画素Ｐ及び各画素Ｐ５が、各色の副画素２ａを１つずつ備えた構成であったが、これに限られず、各画素に同色の副画素２ａを複数配置してもよい。例えば、各画素Ｐが、第１副画素ＳＰＲ、第２副画素ＳＰＧ及び第３副画素ＳＰＢが並ぶ行と、第４副画素ＳＰＭ、第５副画素ＳＰＣ及び第６副画素ＳＰＢ２が並ぶ行と、をそれぞれ２つずつ備えていてもよい。またこれらの行の順に制限はない。
【０１０３】
また、パネル１００では、各開口２ａにおいて、第１電極３を陽極、第２電極１１を陰極とする正構造の有機ＥＬ素子が配置されたが、これに限られず、第１電極を陰極、第２電極を陽極とする逆構造の有機ＥＬ素子が配置されてもよい。この場合、正孔注入層、正孔輸送層、第１電子輸送層、第２電子輸送層の配置順は適宜変更される。
また、パネル１００では、基板１の基板本体（ＴＦＴ層を除いた部分）が、長方形平板状であったが、これに限られず、正方形、四角形以外の多角形、円形、楕円形などの平板状であってもよい。さらに、基板本体は平板状に限られず、フィルム状であってもよく、この場合パネル１００に柔軟性を付与することもできる。
【０１０４】
また、パネル１００では、開口２ａが並ぶ行方向Ｘ及び列方向Ｙが、基板１の主面の長手方向及び短手方向と平行であったが、これに限られず、基板の主面の長手方向及び短手方向に対して傾きを持った行方向Ｘ及び列方向Ｙを設定してもよい。
また、パネル１００では、隔壁２がいわゆるピクセルバンク方式であったが、これに限定されず、ラインバンク方式などであってもよい。具体的には、例えば隔壁が行方向Ｘに隣接する副画素のみを区画し、列方向Ｙに隣接する副画素は区画しない形状であってもよい。なお、この場合は、列方向Ｙに延伸して有機発光層を区画する隔壁とは別に、行方向Ｘに延伸して第１電極を区画するが有機発光層は区画しない電気絶縁性の画素規制層を配置することが好ましい。
【０１０５】
また、パネル１００では、隔壁２の開口がすべて副画素２ａであったが、これに限られず、例えば、第２電極１１自身の電気抵抗による基板１の中央付近での電圧降下を低減するよう、隔壁２の開口に電気抵抗の低いバスバーなどを配置する構成であってもよい。
また、パネル１００では、トップエミッション型及びアクティブマトリクス方式を採用したが、本発明の態様はこれに限られず、例えばボトムエミッション型又はパッシブマトリクス方式を採用してもよい。これらの変更によって、パネル１００の構成も適宜変更される。
【産業上の利用可能性】
【０１０６】
本発明に係る有機ＥＬ表示パネル及び有機ＥＬ表示装置は、テレビ、パーソナルコンピュータ、携帯端末、電子看板、業務用ディスプレイなど様々な電子機器の表示装置に用いられる表示パネルとして広く利用することができる。
【符号の説明】
【０１０７】
１  基板
２  隔壁
２ａ  開口（副画素）
３  第１電極
６  有機発光層
６Ｒ  赤色有機発光層
６Ｒ２  第２赤色有機発光層
６Ｇ  緑色有機発光層
６Ｇ２  第２緑色有機発光層
６Ｂ  第１青色有機発光層
６Ｂ２  第３青色有機発光層
８、２０８、５０８  電荷発生層
９、２０９、５０９  第２青色有機発光層
１１  第２電極
１４Ｒ  赤色カラーフィルタ
１４Ｇ  緑色カラーフィルタ
１４Ｂ、３１４Ｂ  青色カラーフィルタ
１７  駆動制御部
１００、２００、３００、４００、５００、６００、９００  有機ＥＬ表示パネル
４１４Ｍ  マゼンタ色カラーフィルタ
４１４Ｃ  シアン色カラーフィルタ
１０００  有機ＥＬ表示装置
Ｆ  機能層
Ｐ、Ｐ５  画素
ＳＰＲ  第１副画素
ＳＰＧ  第２副画素
ＳＰＢ  第３副画素
ＳＰＭ  第４副画素（第５副画素）
ＳＰＣ  第５副画素（第４副画素）
ＳＰＢ２  第６副画素（第５副画素）
【図１】
2016004761.tif 000003
【図２】
2016004761.tif 000004
【図３】
2016004761.tif 000005
【図４】
2016004761.tif 000006
【図５】
2016004761.tif 000007
【図６】
2016004761.tif 000008
【図７】
2016004761.tif 000009
【図８】
2016004761.tif 000010
【図９】
2016004761.tif 000011
【図１０】
2016004761.tif 000012
【図１１】
2016004761.tif 000013
【図１２】
2016004761.tif 000014
【図１３】
2016004761.tif 000015